(57)【要約】  【課題】  複数の負荷内の状態悪化を抑制しつつ、しかも、より積極的に消費電力のピークを抑制できる消費電力制御装置を提供する。  【解決手段】  デマンド信号を入力する制御ユニットに接続され、設定温度プロファイルに従って制御ユニット１に制御される複数の負荷の運転／停止を制御し、設定温度プロファイルを記憶するプロファイル記憶部５を備える。プロファイル記憶部５に記憶される設定温度プロファイルは、消費電力がピークとなるピーク時間帯における第１の設定温度Ｔ３と、ピーク時間帯の直前に設定される先行冷却時間帯における第２の設定温度Ｔ２と、ピーク時間帯でも先行冷却時間帯でもない時間帯における通常の設定温度Ｔ０を含み、第１の設定温度の平均値は、通常の設定温度よりも高く、第２の設定温度の平均値は、通常の設定温度よりも低い。【選択図】  図２
2010032072.tif 000002
【特許請求の範囲】
【請求項１】
デマンド信号を入力する制御ユニットに接続され、設定温度プロファイルに従って前記制御ユニットに制御される複数の負荷の運転／停止を制御する消費電力制御装置であって、
前記消費電力制御装置は、前記設定温度プロファイルを記憶するプロファイル記憶部を備え、
前記プロファイル記憶部に記憶される前記設定温度プロファイルは、消費電力がピークとなるピーク時間帯における第１の設定温度と、前記ピーク時間帯の直前に設定される先行冷却時間帯における第２の設定温度と、前記ピーク時間帯でも前記先行冷却時間帯でもない時間帯における通常の設定温度を含み、
前記第１の設定温度の平均値は、前記通常の設定温度よりも高く、かつ、前記第２の設定温度の平均値は、前記通常の設定温度よりも低いことを特徴とする消費電力制御装置。
【請求項２】
現在の電力消費状態を蓄積する履歴蓄積部をさらに備え、前記設定温度プロファイルは、前記履歴蓄積部に蓄積された電力消費状態の履歴を参照して決定される請求項１記載の消費電力制御装置。
【請求項３】
前記設定温度プロファイルは、夜間と朝方の時間帯において、前記通常の設定温度よりも高く設定される設定温度を含む請求項１または２記載の消費電力制御装置。
【請求項４】
前記複数の負荷のそれぞれは、各負荷の温度を検出する温度センサを備え、
前記消費電力制御装置は、前記設定温度プロファイルにより定められる現在の設定温度を中心として前記温度センサが検出する各負荷の温度が前記現在の設定温度よりも第１の温度幅だけ高くなった際、前記各負荷に運転を命じ、
前記消費電力制御装置は、前記設定温度プロファイルにより定められる現在の設定温度を中心として前記温度センサが検出する各負荷の温度が前記現在の設定温度よりも第２の温度幅だけ低くなった際、前記各負荷に停止を命じ、
しかも、前記第２の温度幅は、前記第１の温度幅よりも狭く設定されていることを特徴とする請求項１から３のいずれかに記載の消費電力制御装置。
【請求項５】
冷却対象の温度を検出する温度センサを備え、それぞれの冷却対象をを冷却する複数の負荷と、
デマンド信号を入力すると共に前記複数の負荷を制御する制御ユニットと、
前記制御ユニットに接続され、設定温度プロファイルに従って前記制御ユニットに制御される複数の負荷の運転／停止を制御する消費電力制御装置とを備える冷却システムであって、
前記消費電力制御装置は、前記設定温度プロファイルを記憶するプロファイル記憶部を備え、
前記プロファイル記憶部に記憶される前記設定温度プロファイルは、消費電力がピークとなるピーク時間帯における第１の設定温度と、前記ピーク時間帯の直前に設定される先行冷却時間帯における第２の設定温度と、前記ピーク時間帯でも前記先行冷却時間帯でもない時間帯における通常の設定温度を含み、
前記第１の設定温度の平均値は、前記通常の設定温度よりも高く、かつ、前記第２の設定温度の平均値は、前記通常の設定温度よりも低く、
前記消費電力制御装置は、前記設定温度プロファイルにより定められる現在の設定温度を中心として前記温度センサが検出する各負荷の温度が前記現在の設定温度よりも第１の温度幅だけ高くなった際、前記各負荷に運転を命じ、
前記消費電力制御装置は、前記設定温度プロファイルにより定められる現在の設定温度を中心として前記温度センサが検出する各負荷の温度が前記現在の設定温度よりも第２の温度幅だけ低くなった際、前記各負荷に停止を命じ、
しかも、前記第２の温度幅は、前記第１の温度幅よりも狭く設定されていることを特徴とする冷却システム。
【請求項６】
現在の電力消費状態を蓄積するステップと、
蓄積された電力消費状態の履歴を参照して、消費電力がピークとなるピーク時間帯と、前記ピーク時間帯の直前の先行冷却時間帯とを決定し、前記ピーク時間帯における第１の設定温度と、前記先行冷却時間帯における第２の設定温度とを、前記第１の設定温度の平均値が通常の設定温度よりも高く、かつ、前記第２の設定温度の平均値が前記通常の設定温度よりも低くなるように決定し、設定温度プロファイルを設定するステップと、
前記設定温度プロファイルに従って複数の負荷の運転／停止を制御するステップとを含む消費電力制御方法。
【請求項７】
前記設定温度プロファイルは、夜間と朝方の時間帯において、前記通常の設定温度よりも高く設定される設定温度を含む請求項６記載の消費電力制御方法。
【請求項８】
前記設定温度プロファイルにより定められる現在の設定温度を中心として各負荷の温度が前記現在の設定温度よりも第１の温度幅だけ高くなった際、前記各負荷に運転を命じ、
前記設定温度プロファイルにより定められる現在の設定温度を中心として各負荷の温度が前記現在の設定温度よりも第２の温度幅だけ低くなった際、前記各負荷に停止を命じ、
しかも、前記第２の温度幅は、前記第１の温度幅よりも狭く設定されていることを特徴とする請求項６または７記載の消費電力制御方法。
【発明の詳細な説明】
【技術分野】
【０００１】
本発明は、冷凍庫、冷蔵庫あるいは空調設備のように外気温の変化に抗して庫内あるいは室内を所定の温度に冷却し、その冷却のために電力を消費する複数の負荷の状態を制御する消費電力制御装置及び消費電力制御方法に関する。特に、電力消費者と電力会社との間でデマンド制御を行う契約が結ばれている際に、この契約の基本料金を低減できるようにする技術に関する。
【背景技術】
【０００２】
上記負荷の温度制御においては、外気温の影響が大きい。特に、夏期は平均気温が高くなり、特に、夏期の午後１時〜午後３時頃には、外気温がピークとなることが多く、当然、このような時間帯において、負荷の消費電力もピークを迎える。
【０００３】
電力消費者が、受変電設備を介し電力会社から電力の供給を受けるには、契約電力が定められる。契約電力を監視するため、最大デマンド計が用いられる。最大デマンド（最大需要電力）は、一ヶ月における所定期間（約款によるが通常は２０分〜３０分程度）内のデマンド（需要電力）平均値の最大値である。
【０００４】
契約電力は、電力料金の基本料金を決定する。つまり、電力消費者としては、毎月の最大デマンドを低減できれば、契約電力を下げることができ、それにより、電力料金が安くなり、有利になる。
【０００５】
最大デマンドの上昇を回避するために、従来よりデマンド制御法が使用されている。最大デマンド計からデマンド信号が出力される都度、予め決めておいた負荷を一台ずつ順次停止させるというものである。これによると、消費電力の制御は、デマンド信号が出力されるまで実施されないし、デマンド信号が出力されてから短い時間（２０分程度）しか実施されないので、電力消費を抑制する効果は、限定的であり、極めてわずかである。
【０００６】
また、デマンド信号が出力され、今回停止される負荷の状態は、全く考慮されない。例えば、負荷が冷蔵庫あるいは冷凍庫であり、庫内の温度が比較的高くなっている状態で、この負荷が強制的に運転停止させられると、その後、庫内の温度が異常に上昇し、庫内に保存されている食材等の品質が劣化（例えば、変質、腐敗等）する事態を招来し得る。
【０００７】
さて、特許文献１（特開２０００−２３７２９号公報）は、複数の負荷と、デマンド制御装置との間に、節電制御装置を介在させる点及び電力消費の予測を実施する点を開示する。
【０００８】
また、特許文献２（特開平１１−２０６０１４号公報）は、各負荷に各負荷内の温度を検出する温度センサを設けて電力制御する点を開示する。
【０００９】
さらに、特許文献３（特開２００６−３４９３０２号公報）は、負荷を強制停止する信号をインターラプトし解除する点を開示する。
【００１０】
しかしながら、いずれの従来技術をもってしても、デマンド制御信号の出力後において消費電力を制御しようとしているにすぎず、ピーク消費電力をデマンド制御信号が出力されるレベルよりも、より低くなるように制御するまでには至っていない。
【００１１】
言い換えれば、従来技術は、いずれにおいても、電力料金の基本料金を積極的に低減させようとする課題に対応できるとは言えない。
【特許文献１】特開２０００−２３７２９号公報
【特許文献２】特開平１１−２０６０１４号公報
【特許文献３】特開２００６−２９６９３号公報
【発明の開示】
【発明が解決しようとする課題】
【００１２】
そこで本発明は、複数の負荷内の状態悪化を抑制しつつ、しかも、より積極的に消費電力のピークを抑制できる消費電力制御装置及びその関連技術を提供することを目的とする。
【課題を解決するための手段】
【００１３】
第１の発明に係る消費電力制御装置は、デマンド信号を入力する制御ユニットに接続され、設定温度プロファイルに従って制御ユニットに制御される複数の負荷の運転／停止を制御する消費電力制御装置であって、消費電力制御装置は、設定温度プロファイルを記憶するプロファイル記憶部を備え、プロファイル記憶部に記憶される設定温度プロファイルは、消費電力がピークとなるピーク時間帯における第１の設定温度と、ピーク時間帯の直前に設定される先行冷却時間帯における第２の設定温度と、ピーク時間帯でも先行冷却時間帯でもない時間帯における通常の設定温度を含み、第１の設定温度の平均値は、通常の設定温度よりも高く、かつ、第２の設定温度の平均値は、通常の設定温度よりも低い。
【００１４】
この構成により、ピーク時間帯に先立ち、先行冷却時間帯において、通常の設定温度よりも低い第２の設定温度による制御が実施される。即ち、ピーク時間帯に入る前に、負荷は通常の設定温度よりも冷却を強め、その結果、負荷により冷却される冷却対象は、ピーク時間帯の前に予冷され冷え切った状態となる。
【００１５】
そして、ピーク時間帯に入ると、設定温度は、通常の設定温度よりも高い第１の設定温度となり、ピーク時間帯における電力消費が抑制される。その結果、デマンド制御信号が出力されるに至らずにすむケースが増え、結果的に、契約電力を下げることが可能となり、電力料金の基本料金低減に資することができる。なお、このようにしても、先行冷却時間帯において冷却対象は予冷されており冷え切った状態にあり、また通常、冷却対象は断熱材等で外部から熱的に断絶されているから、冷却対象の温度はさほど上昇せず、冷却対象の品質が劣化するおそれは少ない。
【００１６】
第２の発明に係る消費電力制御装置では、現在の電力消費状態を蓄積する履歴蓄積部をさらに備え、設定温度プロファイルは、履歴蓄積部に蓄積された電力消費状態の履歴を参照して決定される。
【００１７】
この構成により、現実の電力消費状態が履歴蓄積部に蓄積され、現実の電力消費状態を反映して、設定温度プロファイルが決定されるため、より精度よく、設定温度プロファイルを決めることができ、結果として、消費電力制御の精度を向上できる。
【００１８】
第３の発明に係る消費電力制御装置では、設定温度プロファイルは、夜間と朝方の時間帯において、通常の設定温度よりも高く設定される設定温度を含む。
【００１９】
この構成により、もともと外気温が低く電力消費量が少ない、夜間と朝方において一層積極的に消費電力を削減できる。
【００２０】
第４の発明に係る消費電力制御装置では、複数の負荷のそれぞれは、各負荷の温度を検出する温度センサを備え、消費電力制御装置は、設定温度プロファイルにより定められる現在の設定温度を中心として温度センサが検出する各負荷の温度が現在の設定温度よりも第１の温度幅だけ高くなった際、各負荷に運転を命じ、消費電力制御装置は、設定温度プロファイルにより定められる現在の設定温度を中心として温度センサが検出する各負荷の温度が現在の設定温度よりも第２の温度幅だけ低くなった際、各負荷に停止を命じ、しかも、第２の温度幅は、第１の温度幅よりも狭く設定されている。
【００２１】
この構成により、各負荷の温度を温度センサにより検出することにより、各負荷により冷却される冷却対象の品質劣化を抑制できる。さらに、第２の温度幅は、第１の温度幅よりも狭いため、現在の設定温度を中心とする制御において、負荷が運転から停止に早めに遷移し、それだけ、負荷による電力消費を抑制できる。
【発明の効果】
【００２２】
本発明によれば、デマンド制御信号が出力されないケースが増え、契約電力を下げて電力料金の基本料金を下げることが可能となる。このようにしても、先行冷却時間帯において冷え切った状態になっているから、冷却対象の温度は上昇しにくく、冷却対象の品質が劣化するおそれは少ない。
【００２３】
また、現実の電力消費状態を反映し、精度よく設定温度プロファイルを決めることができ、消費電力制御の精度を向上できる。
【００２４】
さらに、現在の設定温度を中心とする制御において、負荷が運転から停止に早めに遷移し、電力消費を抑制できる。
【発明を実施するための最良の形態】
【００２５】
以下図面を参照しながら、本発明の実施の形態を説明する。図１は、本発明の一実施の形態における消費電力制御装置を用いた冷却システムのブロック図である。本冷却システムは、従来個別に対応していた温度制御をプログラムコントローラ２により一括管理し、全負荷をトータルに制御することにより、これまで不可能であった領域における消費電力のピークカット制御を可能とするものである。
【００２６】
（負荷）
本冷却システムでは、複数の負荷がまとめて制御対象となる。負荷としては、冷蔵庫、冷凍庫のように庫内に冷却対象（食材等）を収納し、庫内の冷却対象を断熱材で外部と熱的に遮断するものが代表的であるが、空調設備を含めてもよい。図１の例では、負荷は、全て冷凍機１０、２０、ｎ０であり、それぞれ内部に温度センサ１１、２１、ｎ１が設けられ各負荷の庫内温度信号Ｔ１、Ｔ２、Ｔｎが温度調節器１２、２２、ｎ２に出力される。温度センサ１１、２１、ｎ１としては、測温抵抗体が好適に使用される。勿論、図１に示しているように、３台の負荷のみならず、より多数の負荷を一括して制御することもできる。
【００２７】
（負荷制御部）
負荷制御部は、デマンド信号を電力会社から入力する制御ユニット１を中心とする。上記温度調節器１２、２２、ｎ２は、制御ユニット１に各冷凍機１０、２０、ｎ０の庫内温度を含む負荷データｄ１、ｄ２、ｄｎを出力する。制御ユニット１は、後述するフローチャートに沿った制御を実施し、その結果、各冷凍機１０、２０、ｎ０に接続される発停回路１３、２３、ｎ３に、それぞれ運転／停止信号ｃ１、ｃ２、ｃｎを出力し、発停回路１３、２３、ｎ３は、運転／停止信号ｃ１、ｃ２、ｃｎに従って、各冷凍機１０、２０、ｎ０を「運転」状態へ、あるいは「停止」状態へ遷移させる。なお、負荷及び負荷制御部は、従来のものをそのまま採用しても差し支えない。
【００２８】
（消費電力制御部）
この部分が、本冷却システムの中核である。詳細な制御プロセスは後述するが、負荷制御部の制御ユニット１には、プログラムコントローラ２が接続される。プログラムコントローラ２には、外気温度を検出し外気温信号Ｔ０を出力する温度センサ３と、現在の時刻を出力するタイマ４と、設定温度プロファイルの情報を記憶するプロファイル記憶部５と、電力消費の履歴が随時蓄積される履歴蓄積部６とが接続される。
【００２９】
プログラムコントローラ２は、例えば、マイクロプロセッサと制御プログラムが格納されるＲＯＭとの組み合わせ等からなる。
【００３０】
これらのうち、プロファイル記憶部５と履歴蓄積部６としては、フラッシュメモリ、あるいはハードディスク装置などの記憶媒体が好適に使用できる。
【００３１】
さらに、プログラムコントローラ２にネットワーク（例えば、インターネット等）７への通信ポートを設けておけば、ネットワーク７を介して、外部パーソナルコンピュータ８により、現在の制御状態をブラウズしたり、あるいは、プログラムコントローラ２への設定、指示等を発行することも可能である。
【００３２】
（設定温度プロファイル）
次に、図２（ａ）、図２（ｂ）を参照しながら、本形態における設定温度プロファイルについて説明する。ここで、図２（ａ）は、本発明の一実施の形態における消費電力制御方法による電力の推移を例示するグラフであり、図２（ｂ）は、本発明の一実施の形態における消費電力制御方法による設定温度の推移を例示するタイムチャートである。
【００３３】
図２（ａ）の一転鎖線は、夏期における消費電力の経過例を示す。この例では、契約電力５００ｋＶＡの冷凍機設備ユーザによるものである。朝方及び深夜では、消費電力は、２００ｋＶＡと低水準にあるが、正午に向かって消費電力は高くなり、午後１時から午後３時ごろピークとなって、デマンド制御ラインである５００ｋＶＡを超えている。その後、消費電力は低下し、２００ｋＶＡの低水準へと至っている。
【００３４】
このような例で従来のデマンド制御方式を採用すると、午後１時から午後３時のピーク時間帯でのみ制御が実施され、消費電力は、デマンド制御ラインの上下で波打つ結果（破線参照）となる。
【００３５】
一方、本形態では、図２（ｂ）に示すような設定温度プロファイルを採用する。ここでいう「設定温度」は、各冷凍機１０、２０、ｎ０の庫内温度の中心である。参考までに述べると、従来技術では、設定温度は、ピークであるか否かを問わず、一定としている。さて、本形態では、上記履歴蓄積部６に蓄積された消費電力の状態を参照し、まず、ピーク時間帯（時刻ｔ３、ｔ４間）を定める。また、ピーク時間帯に先立つ、先行冷却時間帯（時刻ｔ２、ｔ４間）を定める。なお、図２の例では、時刻ｔ２＝正午、時刻ｔ３＝午後１時、時刻ｔ４＝午後３時となっているが、これはあくまで例示にすぎず、種々変更して差し支えない。
【００３６】
通常の設定温度Ｔ０を定め、先行冷却時間帯における設定温度Ｔ２をＴ２がＴ０よりも平均値で低くなるように定める。また、ピーク時間帯における設定温度Ｔ３をＴ３がＴ０よりも平均値で高くなるように定める。図２（ｂ）の例では、先行冷却時間帯でも、ピーク時間帯でも、階段状に設定温度が変化するようになっている。これは、本例では、３本の信号線（各線「０」又は「１」とすると合計８ビット）を使用しているためであり、例示にすぎない。例えば、より細かく変化させてもよいし、より荒く変化させても差し支えない。要するに、平均値で上述の通りとなれば良く、その限りにおいて本発明に包含される。なお、負荷毎に別の設定温度プロファイルを使用しても差し支えないし、また、全て同種（例えば冷凍機）の負荷であれば、１つの設定温度プロファイルを共通に使用してもよい。さらに、季節毎に設定温度プロファイルを変更するなど、種々考えられる。
【００３７】
また、深夜（時刻ｔ５以降）及び朝方（時刻ｔ１まで）における設定温度Ｔ１は、通常の設定温度Ｔ０よりも高く設定され、より節電できるようになっている。さらに、深夜の一定時刻ｔ６において、次の日の設定温度プロファイルを決定するようにしてある。
【００３８】
このようにすると、図２（ａ）に実線でしめすような消費電力の経過をとることになる。即ち、朝方から先行冷却時間帯に入る前では、通常の状態（一点鎖線）と大差ない。しかしながら、先行冷却時間帯に至ると、設定温度の平均値がＴ０からＴ２に下がり、庫内は急速に冷却されることになる。その結果、庫内に保管されている冷却対象も、冷凍機自体も、通常よりも強く冷やされ冷え切った状態になる。このため、図２（ａ）実線の先行冷却時間帯の付近を注意深く見ると明らかなように、先行冷却時間帯において消費電力は一時的に上昇し、実線は、上に盛り上がる格好となる。しかしながら、先行冷却時間帯は、短時間であり、盛り上がってもデマンド制御ラインを上回ることはない。
【００３９】
一方、先行冷却時間帯からピーク時間帯へ移行すると、設定温度の平均値がＴ２からＴ３へ上昇する。その結果、消費電力は、先行冷却時間帯よりも低下する。このため、図２（ａ）実線のピーク時間帯の付近を注意深く見ると明らかなように、ピーク時間帯において消費電力は低下し、実線は、先行冷却時間帯から見ると下に盛り下がる格好で、デマンド制御ラインよりも低水準に推移する。よって、ピークにおける消費電力を大幅に削減できる。一方、冷凍機自体も冷却対象も、ピーク時間帯に先立つ、先行冷却時間帯において冷え切った状態となっているから、冷凍機自体も冷却対象もなかなか温度上昇せず、冷却対象の品質劣化を生ずるおそれは非常に少ない。
【００４０】
そして、ピーク時間帯をすぎると、深夜に至るまで、通常の状態（一点鎖線）と大差ないことになる。以上の説明から明らかなように、一日を通して、消費電力がデマンド制御ラインに到達しない結果が得やすくなる。言い換えれば、契約電力を減らしても差し支えないことになり、電力料金の基本料金を下げることが可能となる。
【００４１】
次に、以上のように設定される設定温度プロファイルにより、現在の設定温度が定められた後、現在の設定温度を中心とする「運転」／「停止」制御について、図３を参照しながら、説明する。
【００４２】
ここで、図３（ａ）は、本発明の一実施の形態における消費電力制御方法による庫内温度の推移を例示するグラフであり、図３（ｂ）は、本発明の一実施の形態における消費電力制御方法による負荷運転時間を例示する比較図である。
【００４３】
設定温度が定められると、その設定温度に対する上限温度と下限温度が設定され、温度センサが検出する庫内温度が上限温度と下限温度内に収まるように制御が実施される。ここで、従来の手法によると、設定温度と上限温度との差と設定温度と下限温度との差は、一定（図３の例では１．５度）である。よって、庫内温度は、従来技術によると、図３（ａ）の一点鎖線のようになる。つまり、上限温度に達すると、負荷を「停止」から「運転」へ遷移させ、下限温度に達すると、負荷を「運転」から「停止」へ遷移させる。
【００４４】
しかしながら、本形態では、設定温度と上限温度との差は、上記の通りであるが、設定温度と下限温度との差は、より小さく（図３の例では１．０度）設定してある。このようにすると、現在の設定温度を中心とする制御において、負荷が運転から停止に早めに遷移し、それだけ、負荷による電力消費を抑制できる。言い換えると、従来技術では、下限温度付近において冷やしすぎていたのを、本形態では早めに切り上げて、それだけ消費電力を削減しているものである。図３（ｂ）は、従来技術（一点鎖線）と本形態（実線）とにおける、各運転時間を並べて比較したものである。これによれば、本形態によると従来技術よりも運転時間の和が少なくなることが理解されよう。
【００４５】
（試算）
本発明者の試算によれば、１０〜２５％程度電力料金を削減できるという結果となった。詳しくは、次のとおりである。例えば、契約電力５００ｋＶＡの冷凍機設備ユーザの場合、基本料金は９５万円、使用電気料金は２２３万円、合計３１８万円とすると、９５万円の１０％＝９．５万円と２２３万円の２０％＝４４．６万円、合計５４．１万円が削減でき、１年では６４９万円が削減できることになる。しかしながら、この試算も一例に過ぎないのであって、本願発明がこれらの数値に限定されるわけではない。
【００４６】
次に、図４、図５を参照しながら、プログラムコントローラ２が実行する制御プログラムを詳細に説明する。ここで、図４は、本発明の一実施の形態における消費電力制御方法の各プロセスを示すフローチャートであり、図５は、本発明の一実施の形態における消費電力制御方法の設定温度プロファイル決定プロセスを示すフローチャートである。
【００４７】
図４のステップ１において、まず、設定温度プロファイルが未定であれば、各時刻ｔ１〜ｔ６及び各設定温度Ｔ０〜Ｔ３にデフォルトの値が設定される。次に、ステップ２にて、処理が終了されない限り、ステップ３へ処理が移る。
【００４８】
ステップ３では、負荷を識別するためのカウンタｉに初期値「１」が代入され、ステップ４以下でタイマ４が供給する現在時刻が参照される。
【００４９】
もし、時刻ｔ６なら（ステップ４、５）、明日の設定温度プロファイルを決定する時刻であるため、ステップ６にてそのプロファイルが決定される。具体的には、図５に示すように、履歴蓄積部６に蓄積された電力履歴が参照され（ステップ６１）、通常の設定温度Ｔ０が決定され（ステップ６２）、ピーク時間帯（ｔ３、ｔ４）、設定温度Ｔ３が決定され（ステップ６３）、先行冷却時間帯（ｔ２）、設定温度Ｔ２が決定され（ステップ６４）、他の時刻ｔ１、ｔ５、ｔ６が決定される（ステップ６３）。これらに関する情報が、プロファイル記憶部５に記憶される。そして、ステップ７に処理が移る。
【００５０】
もし、時刻ｔ５以降であって時刻ｔ６でないなら（ステップ４、５）、ステップ７にて、設定温度がプロファイル記憶部５に記憶された設定温度Ｔ１とされ、ステップ１３へ処理が移る。
【００５１】
もし、時刻ｔ１〜ｔ２又はｔ４〜ｔ５なら（ステップ４、８）、設定温度がプロファイル記憶部５に記憶された、通常の設定温度Ｔ０とされ、ステップ１３に処理が移る。
【００５２】
もし、先行冷却時間帯なら（ステップ４、８、１０、５）、ステップ１１にて、設定温度がプロファイル記憶部５に記憶された設定温度Ｔ２とされ、ステップ１３へ処理が移る。
【００５３】
あるいはもし、ピーク時間帯なら（ステップ４、８、１０、５）、ステップ１２にて、設定温度がプロファイル記憶部５に記憶された設定温度Ｔ３とされ、ステップ１３へ処理が移る。
【００５４】
ステップ１３では、カウンタｉに関係する負荷の現在の運転状態がチェックされる。もし、「運転」の状態にあるなら、ステップ１４にて、カウンタｉに関係する負荷の温度ｄｉがチェックされる。温度ｄｉが「設定温度−１」より小さければ、カウンタｉに関係する運転／停止信号ｃｉが「停止」とされ（ステップ１５）、そうでなければカウンタｉに関係する運転／停止信号ｃｉが「運転」とされる。
【００５５】
ステップ１３において、カウンタｉに関係する負荷の現在の運転状態が「停止」であれば、ステップ１７にて、カウンタｉに関係する負荷の温度ｄｉがチェックされる。温度ｄｉが「設定温度＋１．５」より大きければ、カウンタｉに関係する運転／停止信号ｃｉが「運転」とされ（ステップ１９）、そうでなければカウンタｉに関係する運転／停止信号ｃｉが「停止」とされる。
【００５６】
以上の処理が終われば、ステップ２０にて、現在の電力状態が履歴蓄積部６に蓄積される。そして、ステップ２１にて、カウンタｉが「ｎ」に等しいかどうかチェックされ、等しくなければ、ステップ２２にてカウンタｉを「１」だけ進めてステップ４に処理が移る。等しければ、そのままステップ２へ処理が移る。
【図面の簡単な説明】
【００５７】
【図１】本発明の一実施の形態における消費電力制御装置を用いた冷却システムのブロック図
【図２】（ａ）本発明の一実施の形態における消費電力制御方法による電力の推移を例示するグラフ  （ｂ）本発明の一実施の形態における消費電力制御方法による設定温度の推移を例示するタイムチャート
【図３】（ａ）本発明の一実施の形態における消費電力制御方法による庫内温度の推移を例示するグラフ  （ｂ）本発明の一実施の形態における消費電力制御方法による負荷運転時間を例示する比較図
【図４】本発明の一実施の形態における消費電力制御方法の各プロセスを示すフローチャート
【図５】本発明の一実施の形態における消費電力制御方法の設定温度プロファイル決定プロセスを示すフローチャート
【符号の説明】
【００５８】
１  制御ユニット
２  プログラムコントローラ
３、１１、２１、ｎ１  温度センサ
４  タイマ
５  プロファイル記憶部
６  履歴蓄積部
７  ネットワーク
８  外部パーソナルコンピュータ
１０、２０、ｎ０  冷凍機
１２、２２、ｎ２  温度調節器
１３、２３、ｎ３  発停回路
【図１】
2010032072.tif 000003
【図２】
2010032072.tif 000004
【図３】
2010032072.tif 000005
【図４】
2010032072.tif 000006
【図５】
2010032072.tif 000007